(57)【要約】【課題】冷蔵ショーケースを短期間で組立／出荷する。近年、冷蔵ショーケースの天井部に取り付けられる照明装置に関し、従来からの蛍光灯の他、ＬＥＤ（発光ダイオード）を使用する場合等があり、照明装置の仕様決定後は短期間で冷蔵ショーケースを製造する必要があった。【解決手段】冷却器が組込まれ前面部に陳列部を有する主ユニット部１０と、上記陳列部を照らす照明装置が組み込まれた天井部２０を備えた冷蔵ショーケースであって、上記主ユニット部の上端部に、該主ユニット部とは別に組み立てられた上記天井部を組み付けるための板状の係止部材などの係止部４０が設けられていることを特徴とする。【選択図】図２
2012085926.tif 000002
【特許請求の範囲】
【請求項１】
冷却器が組込まれ前面部に陳列部を有する主ユニット部と、上記陳列部を照らす照明装置が組み込まれた天井部を備えた冷蔵ショーケースであって、上記主ユニット部の上端部に、該主ユニット部とは別に組み立てられた上記天井部を組み付けるための係止部が設けられていることを特徴とする冷蔵ショーケース。
【請求項２】
上記係止部は、一端部が上記主ユニット部を構成するフレーム部材の上端部に固定され、他端部側が手前側に突出された左右一対の板状の支持部材を用いたものであることを特徴とする請求項１に記載の冷蔵ショーケース。
【請求項３】
上記天井部の左右の端面を構成する天井部側面部材に締結用の複数のねじ穴が設けられ、上記支持部材における上記ねじ穴に対応する位置にそれぞれ皿穴が設けられてなることを特徴とする請求項２に記載の冷蔵ショーケース。
【請求項４】
冷却器が組込まれ前面部に陳列部を有し、上端部に天井部を固定するための係止部が設けられた主ユニット部の組み立てと、上記陳列部を照らす照明装置が組み込まれた上記天井部の組み立てとを別々に行なった後、上記主ユニット部の上記係止部に上記天井部を組み付けることを特徴とする冷蔵ショーケースの組立方法。
【請求項５】
上記天井部を組み立てる際に、天井部保持部材を略水平から鉛直に回動し得る回動機能と移動用の車輪を備えた組立机を用いることを特徴とする請求項４に記載の冷蔵ショーケースの組立方法。
【請求項６】
上記主ユニット部に上記天井部を組み付ける際に、上記主ユニット部を背面部が底部になるように横倒しにした状態とする一方、上記組立机上で組み立てられた上記天井部を横倒し方向に回動させ、上記主ユニット部の係止部に連結させることを特徴とする請求項５に記載の冷蔵ショーケースの組立方法。
【請求項７】
上記天井部と上記主ユニット部を連結させる際に、上記天井部を上記主ユニット部の係止部に対向させ、上記主ユニット部及び上記天井部の何れか一方を昇降させることにより、相互の位置合わせをすることを特徴とする請求項６に記載の冷蔵ショーケースの組立方法。
【発明の詳細な説明】
【技術分野】
【０００１】
本発明は、冷蔵（冷凍を含む）ショーケース及びその組立方法に関し、特に製作期間を短縮し得るようにした冷蔵ショーケース及びその組立方法の改良に関する。
【背景技術】
【０００２】
従来、冷蔵ショーケースにおける照明装置の光源として、主に直管型の蛍光ランプが用いられていたが、近年、冷蔵ショーケースの新しい光源として、低消費電力、長寿命、小型であるＬＥＤ（発光ダイオード）が使用されつつある（例えば、特許文献１参照）。
【先行技術文献】
【特許文献】
【０００３】
【特許文献１】特開２００８−２１０６６９号公報（第１頁要約、図１）
【発明の概要】
【発明が解決しようとする課題】
【０００４】
上記のような技術においてはＬＥＤ特有の諸効果が期待できるものの、冷蔵ショーケースの構造や用途によっては、従来どおり蛍光ランプを用いた方がよい場合もあり、照明装置の仕様決定に時間がかかる場合がある。その一方で、仕様決定後、短期間で冷蔵ショーケースを組立／出荷することに対する要求が大きい。照明装置は、冷蔵ショーケースの上部ユニットに最初に組み付けられるため、照明装置の仕様の決定が遅れると、組立完了、出荷までに多くの日数を要してしまうという問題があった。
【０００５】
本発明は、上記従来技術の実情に鑑みてなされたものであって、照明装置の仕様決定後、冷蔵ショーケースを短期間で組み立て、出荷することができる冷蔵ショーケース及びその組立方法を得ることを目的としている。
【課題を解決するための手段】
【０００６】
この発明に係る冷蔵ショーケースは、冷却器が組込まれ前面部に陳列部を有する主ユニット部と、上記陳列部を照らす照明装置が組み込まれた天井部を備えた冷蔵ショーケースであって、上記主ユニット部の上端部に、該主ユニット部とは別に組み立てられた上記天井部を組み付けるための係止部が設けられていることを特徴としている。
【０００７】
また、この発明に係る冷蔵ショーケースの組立方法は、冷却器が組込まれ前面部に陳列部を有し、上端部に天井部を固定するための係止部が設けられた主ユニット部の組み立てと、上記陳列部を照らす照明装置が組み込まれた上記天井部の組み立てとを別々に行なった後、上記主ユニット部の上記係止部に上記天井部を組み付けることを特徴としている。
【発明の効果】
【０００８】
この発明の冷蔵ショーケースにおいては、主ユニット部とは別工程で組み立てられた天井部を主ユニット部の上端部に係止し得るようにしたので、主ユニット部を先に組み立てておき、照明装置を有する天井部を後工程で組み付けることが可能となる。このため、照明装置の仕様決定後、短期間で冷蔵ショーケースを完成させることができる。
【０００９】
また、この発明の冷蔵ショーケースの組立方法においては、主ユニット部と、照明装置が組み込まれた天井部とを別工程で組み立てることができるので、照明装置の仕様決定が遅れた場合においても仕様決定後短期間で冷蔵ショーケースを完成させることができる。
【図面の簡単な説明】
【００１０】
【図１】本発明の実施の形態１の冷蔵ショーケースの全体構成を示す斜視図である。
【図２】図１の冷蔵ショーケースの意匠部品を取り除いたときの天井部と主ユニット部の連結部構造を説明する図であり、（ａ）は斜視図、（ｂ）は側面図である。
【図３】図１に示す主ユニット部の構成を示す図であり、（ａ）は斜視部、（ｂ）は側面図である。
【図４】図１に示す天井部の構成を示す図であり、（ａ）は斜視部、（ｂ）は側面図である。
【図５】図１に示す連結部の締結構造による作用を説明する側面図であり、（ａ）はこの実施の形態１の例、（ｂ）は比較用の参考例である。
【図６】図１の冷蔵ショーケースの組立工程を従来と比較して示すフロー図である。
【図７】本発明の実施の形態１に係る冷蔵ショーケースの組立方法における主ユニット部の保持状態を示す図であり、（ａ）は斜視図、（ｂ）は側面図である。
【図８】上記実施の形態１の組立方法に用いる天井部組立机を示す図であり、（ａ）は斜視図、（ｂ）は側面図である。
【図９】図８に示された天井部組立机の使用状態を説明する図であり、（ａ）は斜視図、（ｂ）は側面図である。
【図１０】図９（ｂ）に示された天井部組立机の天井部保持部材を時計方向に９０°回動させた連結前の天井部保持状態を説明する側面図である。
【図１１】上記実施の形態１の組立方法における天井部と主ユニット部を当接させた状態を説明する図であり、（ａ）は斜視図、（ｂ）は側面図である。
【図１２】上記実施の形態１の組立方法における天井部と主ユニット部を連結させた状態を説明する図であり、（ａ）は斜視図、（ｂ）は側面図である。
【図１３】本発明の実施の形態２に係る冷蔵ショーケースの組立方法に用いる天井部組立机を示す図であり、（ａ）は斜視図、（ｂ）は側面図である。
【図１４】図１３に示された天井部組立机に天井部を保持した状態を示す図であり、（ａ）は斜視図、（ｂ）は側面図である。
【図１５】図１４の天井部をセミ多段タイプに変えた変形例を示す図であり、（ａ）は斜視図、（ｂ）は側面図である。
【図１６】図１４の天井部を長尺タイプに変えた変形例を示す図である。（ａ）は斜視図であり、上図は表側を示し、下図は裏側を示す。（ｂ）は天井部組立机の斜視図である。
【発明を実施するための形態】
【００１１】
実施の形態１．
以下、この発明の実施の形態１に係る冷蔵ショーケースについて、先ず図１〜図５を参照して構造部分を説明し、次にその組立方法について、図６〜図１２を参照して説明する。先ず、実施の形態１の冷蔵ショーケース１は、図１、図２に示すように、熱交換器１１、電源部（電源ボックス）１２、ファン１３などを備え、前面部に商品の陳列部１４を有する主ユニット部１０と、陳列部１４を照らす照明装置２１が組み込まれた天井部２０と、主ユニット部１０に設備される棚３１、スノコ３２、手摺３３、前面意匠部３４等の意匠部品３０などからなる。この内、意匠部品３０は、塗装色等、客先によって異なるものであり、出荷直前に組み付けられる。
【００１２】
なお、図２は、上記棚３１、スノコ３２、手摺３３、前面意匠部３４等の意匠部品３０を除いた状態の冷蔵ショーケースを示しており、（ａ）の斜視図、（ｂ）の側面図共に、それぞれ枠で囲った部分についてその拡大図を示している。主ユニット部１０と天井部２０とは別工程で組み立てられ、天井部２０は主ユニット部１０の上端部に設けられた係止部４０に固定することで連結される。
【００１３】
係止部４０は、この例では図３に示すように、一端部が主ユニット部１０を構成するフレーム部材１５の上端部に溶接またはボルトなどの固定手段（図示省略）によって強固に固定され、他端部側が手前側に突出された左右一対の板状の支持部材４１からなる。支持部材４１には図３（ｂ）に示すように円で囲んで示す固定用の複数（この例では１０箇所）の皿穴４１ａと、前後方向（図３（ｂ）の左右方向）に離間された所定の２箇所に設けられた小突起などからなる位置ガイド部４１ｂが設けられている。
【００１４】
一方、天井部２０は図４に示すように、照明装置２１を構成する蛍光ランプやＬＥＤ、あるいはそれらを併用したものなど客先の要望等によって決められた光源が下面前端部と中央部近傍に設けられ、左右側面部には天井部側面部材２３、下面から奥壁上端部に跨って形成された天井カバー２４などを備えている。左右に設けられた天井部側面部材２３の外側面間の寸法は、上記係止部４０を構成する左右の支持部材４１相互の内側の間に挿入し得る長さに形成されている。そして、天井部側面部材２３には、前後方向（図４（ｂ）の左右方向）に離間して２箇所に設けられた上記位置ガイド部４１ｂに対応するスリット状の位置合わせ部２５と、上記皿穴４１ａの位置に対応された、円で囲んで示す固定用の複数（１０箇所）のねじ穴２６が設けられている。なお、照明装置２１を構成する点灯回路や冷気の通風路などは図示を省略している。
【００１５】
天井部２０と主ユニット部１０を連結する際は、例えば、天井部側面部材２３に設けられた位置合わせ部２５と支持部材４１に設けられた位置ガイド部４１ｂを合わせるようにして、主ユニット部１０に対する天井部２０の位置決めを行った後、図示していない皿ねじによって固定する。なお、位置決め方法としては、このようにスリット状の位置合わせ部２５と小突起などの位置ガイド部４１ｂによる係合手法に限定されるものではなく、例えば目盛や位置合わせの目標線を設け、あるいはボスと穴の組合せによる２箇所以上の嵌合部を設け所定位置で互いに嵌合させて位置決めするようにしてもよい。
【００１６】
なお、上記実施の形態１のねじ固定箇所には、図５（ａ）に示すように、天井部２０の荷重をＰ、天井部２０の重心位置をＡ、ねじ締結部の重心位置をＢ、ＡとＢの距離をｅ、としたときに、天井部２０の荷重Ｐに伴うモーメント荷重（偏芯荷重）Ｐ×ｅが加わる。図５（ｂ）は、支持部材４１を用いず、天井部側面部材２３の左端部を直接ユニット部１０を構成するフレーム部材１５の上端部に固定した比較用の参考例である。この場合、ねじ締結部の重心位置Ｃと天井部２０の重心位置Ａとの距離ｅ１が大きくなり、モーメント荷重（偏芯荷重）Ｐ×ｅ１が大きくなるので、天井部側面部材２３の強度を増したり、締結部に径の大きい強固なねじが多数必要となる。
【００１７】
次に、上記実施の形態１の冷蔵ショーケース１の組立方法について図６〜図１２を参照して説明する。この発明の冷蔵ショーケース１は上記のように、主ユニット部１０を天井部２０と分離したことで、組立工程の概要としては図６（ａ）に示すように主ユニット部１０と天井部２０を別工程で組み立てた後、両者をドッキングさせる。従来は、図６（ｂ）の参考例のように天井部の照明装置を蛍光灯にするか、ＬＥＤにするか等の仕様が決まってからしか組み立てに着手できなかったので、完成／出荷までに長時間を要したのに対し、完成／出荷までの期間を短縮することができるという特長を有する。
【００１８】
（１）主ユニット部組立／設置
まず、主ユニット部１０を組み立てる。主ユニット部１０は、天井部１０の組み立てに合わせて組み立てておいても、予め組み立てて倉庫に保管し、天井部２０との連結の際に取り出すようにしてもよい。天井部２０との連結の際には、例えば図７に示すように、主ユニット部１０を主ユニット部保持机５１（例えばコンベア）上に背面を下にし、寝かせた状態で設置しておく。ここで、主ユニット部保持机５１には、載置した主ユニット部１０を上下動させる昇降機構５１ａが取り付けられている。
【００１９】
（２）天井部組立
次に、照明装置等を有する天井部２０を組み立てる。天井部２０は、図８に示す天井部組立机５２を用い、水平にした天井部保持部材５２ａ上で組み立てられる。なお、天井部組立机５２は、図示省略している回転機構により天井部２０を保持したまま天井部保持部材５２ａを軸Ｏのまわりに矢印Ｄのように９０°回動させ、天井部保持部材５２ａを鉛直状態と水平状態の間で変化させることができる。天井部２０を組み立てるときは図９のように天井部保持部材５２ａを水平状態にして作業を行う。なお、天井部保持部材５２ａには例えばマグネット、吸着パッド等、図示しない天井部保持手段を備えており、任意に天井部２０を保持／着脱できるようになっている。また、天井部組立机５２には、車輪５２ｂが備え付けられており、天井部２０を保持したまま、移動できるようになっている。
【００２０】
（３）主ユニット部と天井部の当接
次に、天井部２０を図９の状態から図１０のように時計方向に９０°反転させた状態で、天井部２０を保持したまま天井部保持机５２ごと、図１１のように主ユニット部保持机５１上の主ユニット部１０に近づける。天井部２０を主ユニット部１０に近づける際、天井部２０の天井カバー２４が横に張り出しており、主ユニット部１０側の支持部材４１と、天井部２０の天井カバー２４とが干渉するため、一対の支持部材４１をそれぞれ外側に広げて、天井部２０を一対の支持部材４１の間に入れるように主ユニット部１０に向けて挿入、当接させる。なお、天井カバー２４は、スーパー等の店舗で複数の冷蔵ショーケース同士を連結する際、天井カバー２４同士がつきあたるよう設置するため、そもそも天井部側面部材２３より少し外側にはみ出すよう、大きめにしてある。
【００２１】
なお、主ユニット部１０と天井部２０を当接させる際、図１１（ｂ）の枠内の拡大図に示すように、天井部２０はその天井部パネル２７が主ユニット部パネル１６の少し上に来るようにする。これは、支持部材４１を広げる際、その付け根部分は広がりきらず、天井部２０の天井カバー２４と支持部材４１が干渉するため、天井部２０を少し上にしておくことで、天井部２０を主ユニット部１０に容易に当接させるものである。主ユニット部１０と天井部２０を当接させた状態で、天井部側面部材２３の位置合わせ部２５に、支持部材４１の位置ガイド部４１ｂを挿入、位置決めする。ここで、連結の際に主ユニット部１０に設けられた電源部１２から照明装置へ接続する配線を天井部１０に引き出すようにする。
【００２２】
（４）主ユニット部と天井部の連結
次に、図１１の状態から図１２に示すように、主ユニット部保持机５１の昇降機構５１ａによって主ユニット部１０を矢印Ｅのように少し上昇させ、天井部パネル２７と主ユニット部パネル１６の位置を合わせるようにする。位置合わせの後、支持部材４１の皿穴４１ａから図示していない皿ねじを天井部側面部材２３のねじ穴２６に螺入し、適宜のねじ締め工具で締結して主ユニット部１０と天井部２０を連結する。次に、先に引き出した配線部を照明装置のコネクタ部に結合する（何れも図示省略）。以上で天井部２０と主ユニット部１０の連結完了となる。
【００２３】
（５）意匠部品取り付け
上記操作によって天井部２０を主ユニット部１０に固定した後、主ユニット部１０を引き起こし、棚３１、スノコ３２、手摺３３、前面意匠部３４等の意匠部品３０を取り付け、冷蔵ショーケースの組み立てが完了する。
【００２４】
なお、連結に際し、皿ねじにより固定するとしたが、リベットや溶接等により固定するようにしてもよい。要は、冷蔵ショーケースは、スーパー等の店舗にて横に並べて数台連結するため、隣り合う冷蔵ショーケースにおける側面部の出っ張りは許されず、側面部からのねじ頭等のはみだしがない構造となれば、どのような手段で連結固定してもよい。また、天井部２０と主ユニット部１０の連結の際、図示していない冷却風のダクトの接続が同時に連動して行われるようにしても良いし、別作業で行うようにしても良い。
【００２５】
上記のように構成された実施の形態１の冷蔵ショーケースにおいては、天井部２０と主ユニット部１０を分離したことで、従来は、天井部の照明装置を蛍光灯にするか、ＬＥＤにするか等の仕様が決まってからしか組み立てに着手できなかったが、図６（ａ）に示すように、天井部２０の製作を後工程とし、まず、主ユニット部１０を組み立ててから天井部２０と連結することにより、照明装置の仕様決定〜組立完成、出荷までの期間を短縮することができる。このため、生産ラインの効率も改善される。
【００２６】
また、係止部４０として、主ユニット部１０のフレーム部材１５に固着させた一対の板状の支持部材４１を突出させ、天井部側面部材２３を支持部材４１と複数箇所でねじ締結して連結するようにしたことにより、天井部２０の自重に伴うモーメント荷重がキャンセルされ、モーメント荷重が大きく加わることなく安定して主ユニット部１０と天井部２０を連結できる。
【００２７】
また、この実施の形態１の冷蔵ショーケースの組立方法においては、主ユニット部１０と、照明装置が組み込まれた天井部２０とを別工程で組み立て、その後、両者を合体させるようにしたので、照明装置の仕様決定が遅れた場合においても短期間で冷蔵ショーケース１を組み立て、完成させることができる。
【００２８】
また、天井部２０と主ユニット部１０とを横倒した状態で接続させているため、立てた状態とは異なり、容易に電源部１２からの配線を天井部２０に引き出すことができる。これにより配線部を分割することなく、１線とできるため、連結用のコネクタが不要であり、配線部のコストも低減できる。
【００２９】
さらに、天井部組立机５２に９０°反転機能を設けていることにより、天井部２０の組み立てと主ユニット部１０と天井部２０の連結を一連の作業の中で行うことができ、連結の際に、天井部２０の置き換えをしなくてもよいので、工数を削減できる。また、連結に際し、主ユニット部保持机５１に昇降機構５１ａを設けておくことで、天井部２０と主ユニット部１０を容易に位置合わせし連結することができる。
【００３０】
実施の形態２．
次に、図１３〜図１５を参照して本発明の実施の形態２に係る冷蔵ショーケースの組立方法を説明する。なお、実施の形態２における冷蔵ショーケース１の構造は実施の形態１と同様であり、組立方法及び組立装置である天井部組立机５２Ａ及び主ユニット部保持机（図示せず）のみ異なる。以下、本実施の形態２の冷蔵ショーケース１の組立方法について説明する。
【００３１】
（１）主ユニット部組立／設置
まず、主ユニット部１０を組み立てる。主ユニット部１０は、天井部２０の組み立てに合わせて組み立てておいても、予め組み立てて倉庫に入れておき、天井部２０との連結の際に取り出すようにしてもよい。天井部２０との連結の際には、図示していない例えば実施の形態１と同様のコンベアで、昇降機構５１ａを省いた主ユニット部保持机の上に、実施の形態１と同様に背面を下にし、寝かせた状態で設置しておく。
【００３２】
（２）天井部組立
次に、照明装置等を有する天井部２０を組み立てる。この場合、天井部２０は図１３に示す天井部組立机５２Ａを用いる。天井部組立机５２Ａは、実施の形態１と同様の９０°反転機構、及び車輪５２ｂを備えていることに加えて、図１３（ｂ）に示すように、軸Ｏのまわりに回動される回動体５２ｃ上に、ガイド部５２ｄを介して、天井部保持部材５２ｆを備え、天井部保持部材５２ｆは、シリンダ部５２ｃによって矢印Ｆ方向に上下移動される。組み立ての際は、天井部保持部材５２ｆを水平状態にする。また、マグネット、吸着パッド等、図示しない天井部保持機能も備えており、図１４に示すように天井部２０を矢印Ｆ方向の任意の位置で保持／着脱できるようになっている。
【００３３】
（３）主ユニット部と天井部の当接
次に、組み立てが終わった天井部２０を天井部組立机５２Ａに保持した状態で９０°回動させて図１４の姿勢とし、コンベア上の図示していない主ユニット部１０に近づける。近づける際、実施の形態１同様に、支持部材４１を少し外側に広げて、天井カバー２４に当たらないように、天井部２０と主ユニット部１０を当接させる。この際、実施の形態１と同様、天井部２０はその天井部パネル２７が主ユニット部パネル１６の少し上に来るようにし、当接させる（図１１参照）。当接させた状態で、天井部側面部材２３の位置合わせ部２５に、係止部４０を構成する支持部材４１の位置ガイド部４１ｂを挿入、位置決めする。ここで、連結の際に主ユニット部に設けられた電源部１２からの配線を天井部に引き出すようにする。
【００３４】
（４）主ユニット部と天井部の連結
次に、図１４に示すように、天井部組立机５２Ａのシリンダ部５２ｅを駆動させ、天井部２０を矢印Ｆの方向に下降させ、天井部パネル２７と主ユニット部パネル１６の位置を合わせるようにする。なお、主ユニット部１０と天井部２０の位置関係は、移動対象が天井部２０である他は図１２と同様であるので、主ユニット部１０は図示していない。位置合わせの後、実施の形態１と同様に支持部材４１の皿穴４１ａと天井部側面部材２３のねじ部２６を図示していない皿ねじで結合する。次に、先に引き出した配線部を照明装置のコネクタ部に結合する。以上で天井部と主ユニット部の連結完了となる。
【００３５】
（５）意匠部品取り付け
しかる後、棚３１、スノコ３２、手摺３３、前面意匠部３４等の意匠部品３０を取り付けることで、冷蔵ショーケースの組み立てが完了、出荷される。
【００３６】
上記のように構成された実施の形態２によれば、主ユニット部１０と、照明装置が組み込まれた天井部２０とを別工程で組み立てることができるので、照明装置の仕様決定が遅れた場合においても主ユニット部のみ先に製作しておき、天井部は照明装置の仕様を決定してから後工程にて組み立て可能であり、仕様決定〜組み立て完成／出荷までの期間を短縮することができるなど、実施の形態１と同様の効果が得られる。また、主ユニット部１０と天井部２０の合体の際に必要な昇降機構を、主ユニット部１０よりも軽量な天井部２０側を保持する天井部組立机５２Ａに設けたので、簡素なものとすることができる。
【００３７】
ここで、上記の実施の形態では、冷蔵ショーケースとしては、いわゆる多段型とよばれる照明ユニットが張り出した大型タイプのもので説明したが、図１５の変形例に示すようなセミ多段型の天井部２０Ａもしくは他のタイプのものでも、本方法により容易に天井部と主ユニット部を設け、これらを連結させることで組み立てが可能である。
【００３８】
また、上記実施の形態では、天井部組立机として、１台で支える場合について説明したが、２台以上にて支えるようにしても良い。即ち、冷蔵ショーケースの横幅には、多くのバリエーションがあるため、図１６（ａ）に示すように、横幅が大きい天井部２０Ｂの場合は、それに合わせて天井部組立机２０（２０Ａ）を複数台用い、あるいは例えば天井部保持手段（マグネット）５２ｈ、天井部保持手段（爪）５２ｉ、天井部保持部上下動機構５２ｇなどが具備された同一形状の２台の天井部組立机５２Ｂを両端に設置して支えるようにしてもよい。また、奥行きのバリエーションには、天井部保持部上下動機構５２ｇを用いて、天井部組立机の天井部保持部材５２ａの長さ、すなわち、天井部保持手段（爪）５２ｉの位置を調整することで対応するようにしてもよい。
【００３９】
なお、上記実施の形態では、係止部４０が一対の板状の係止部材４１からなる場合について説明したが、必ずしもこれに限定されるものではない。要するに、天井部２０を後付けできるものであれば良い。また、「冷蔵」の意味する範囲に「冷凍」が含まれることは言うまでもない。
【符号の説明】
【００４０】
１  冷蔵ショーケース、  １０  主ユニット部、  １１  熱交換器、  １２  電源部、  １３  ファン、  １４  陳列部、  １５  フレーム部材、  １６  主ユニット部パネル、  ２０、２０Ａ、２０Ｂ  天井部、  ２１  照明装置、  ２３  天井部側面部材、  ２４  天井カバー、  ２５  位置合わせ部、  ２６  ねじ穴、  ２７  天井部パネル、  ３０  意匠部品、  ４０  係止部、  ４１  支持部材、  ４１ａ  皿穴、  ４１ｂ  位置ガイド部、  ５１  主ユニット部保持机、  ５１ａ  昇降機構、  ５２、５２Ａ、５２Ｂ  天井部組立机、  ５２ａ  天井部保持部材、  ５２ｂ  車輪、  ５２ｃ  回動体、  ５２ｄ  ガイド部、  ５２ｅ  シリンダ部、  ５２ｆ  天井部保持部材、  ５２ｇ  天井部保持部上下動機構、  ５２ｈ  天井部保持手段（マグネット）、  ５２ｉ  天井部保持手段（爪）。
【図１】
2012085926.tif 000003
【図２】
2012085926.tif 000004
【図３】
2012085926.tif 000005
【図４】
2012085926.tif 000006
【図５】
2012085926.tif 000007
【図６】
2012085926.tif 000008
【図７】
2012085926.tif 000009
【図８】
2012085926.tif 000010
【図９】
2012085926.tif 000011
【図１０】
2012085926.tif 000012
【図１１】
2012085926.tif 000013
【図１２】
2012085926.tif 000014
【図１３】
2012085926.tif 000015
【図１４】
2012085926.tif 000016
【図１５】
2012085926.tif 000017
【図１６】
2012085926.tif 000018